(57)【要約】      （修正有）【課題】第１カードと、第２カードとの双方を挿入可能なカードコネクタにおいて、第２カードをロックするロック突起の変形を発生し難くして第２カードの引き抜きを適切に阻止することができるカードコネクタを提供する。【解決手段】カードコネクタ１のハウジング１０の第１シェル装着部１２には、第１シェル３０が上から覆うように装着され、第１シェル３０の下方側に第１カードＣ１が挿入される第１カード挿入空間１４が形成される。ハウジング１０の第２シェル装着部には、第２シェル４０が上から覆うように装着され、第２シェル４０の下方側かつ第１シェル３０よりも上方側に第２カードＣ２が挿入される第２カード挿入空間が形成される。第１シェル３０の平板部３１には、第２カード挿入空間に挿入される第２カードＣ２をロックするロック突起３４が設けられる。【選択図】図１
0003197638.tif 000002
【実用新案登録請求の範囲】
【請求項１】
前方部に第１シェル装着部を設け、後方部に前記第１シェル装着部よりも高さの高い第２シェル装着部を設けたハウジングと、
前記第１シェル装着部を上から覆うように装着され、下方側に前方から第１カードが挿入される第１カード挿入空間を形成する第１シェルと、
前記第２シェル装着部を上から覆うように装着され、下方側かつ前記第１シェルよりも上方側に前方から第２カードが挿入される第２カード挿入空間を形成する第２シェルとを備え、
第１シェルの平板部に、前記第２カード挿入空間に挿入される前記第２カードをロックするロック突起を設けたことを特徴とするカードコネクタ。
【請求項２】
前記第１シェル及び前記第２シェルは、金属板を打抜き及び曲げ加工することにより一体に形成されていること特徴とする請求項１に記載のカードコネクタ。
【請求項３】
前記ロック突起は、前記第１シェルの平板部にある固定端から上方に突出すると共に前方から後方に向かって延びる片持ち梁状に形成されていることを特徴とする請求項１又は２に記載のカードコネクタ。
【請求項４】
前記ロック突起は、前記固定端から後方かつ上方に前記第１シェルの平板部に対して斜めに延びる傾斜部と、傾斜部から後方に延びる後方延長部とを備えていることを特徴とする請求項３に記載のカードコネクタ。
【請求項５】
前記ロック突起は、前記第１シェルの平板部にある前後方向に所定間隔を設けて配置された一対の固定端から上方に突出する両持ち梁状に形成されていることを特徴とする請求項１又は２に記載のカードコネクタ。
【請求項６】
前記ロック突起は、前記一対の固定端のうちの前側の固定端から後方かつ上方に前記第１シェルの平板部に対して斜めに延びる第１傾斜部と、前記一対の固定端のうちの後側の固定端から前方かつ上方に前記第１シェルの平板部に対して斜めに延びる第２傾斜部と、第１傾斜部の先端と第２傾斜部の先端とを連結するロック突起連結部とを備えていることを特徴とする請求項５に記載のカードコネクタ。
【考案の詳細な説明】
【技術分野】
【０００１】
本考案は、マイクロＳＩＭ（加入者識別モジュール）カード等の第１カードと、マイクロＳＤカード等の第２カードとの双方を挿入可能なカードコネクタに関する。
【背景技術】
【０００２】
従来のこの種のカードコネクタとして、例えば、特許文献１に示すものが知られている。
特許文献１に示すカードコネクタは、ハウジングの前方部にマイクロＳＩＭカードケーシング装着部を設け、ハウジングの後方部にマイクロＳＩＭカードケーシング装着部よりも高さの高いマイクロＳＤカードケーシング装着部を設けている。そして、マイクロＳＩＭカードケーシング装着部を上側から覆うようにマイクロＳＩＭカードケーシングを装着し、マイクロＳＩＭカードケーシングの下方側にマイクロＳＩＭカード挿入空間を形成している。また、マイクロＳＤカードケーシング装着部を上側から覆うようにマイクロＳＤカードケーシングを装着している。そして、マイクロＳＤカードケーシングの下方側であってマイクロＳＩＭカードケーシングよりも上方側にマイクロＳＤカード挿入空間を形成している。
【０００３】
また、ハウジングには、マイクロＳＩＭカード挿入空間に接触部が突出するマイクロＳＩＭカード接続端子が接続されるとともに、マイクロＳＤカード挿入空間に接触部が突出するマイクロＳＤカード接続端子が接続されている。
そして、マイクロＳＤカードケーシングの側壁部には、マイクロＳＤカード挿入空間に挿入されたマイクロＳＤカードの係止溝に係止されるロック突起が設けられている。
そして、マイクロＳＤカードがマイクロＳＤカード挿入空間に挿入されると、ロック突起がマイクロＳＤカードの係止溝に係止され、これにより、マイクロＳＤカードの引き抜きが阻止される。
【先行技術文献】
【特許文献】
【０００４】
【特許文献１】特開２０１３−２３２４１５号公報
【考案の概要】
【考案が解決しようとする課題】
【０００５】
しかしながら、この従来のカードコネクタにあっては、以下の問題点があった。
即ち、特許文献１に示されたカードコネクタの場合、マイクロＳＤカードケーシングの側壁部に設けられたロック突起が、その自由端がマイクロＳＤカードを向いた状態でマイクロＳＤカードケーシングから突出している。このため、ロック突起が、カードの斜め挿入等の誤った挿入又は外部物体の接触により変形するおそれが高い。
【０００６】
従って、本考案は、この問題点を解決するためになされたものであり、その目的は、マイクロＳＩＭカード等の第１カードと、マイクロＳＤカード等の第２カードとの双方を挿入可能なカードコネクタにおいて、第２カードをロックするロック突起の変形を発生し難くして第２カードの引き抜きを適切に阻止することができるカードコネクタを提供することにある。
【課題を解決するための手段】
【０００７】
上記目的を達成するために、本考案の一態様に係るカードコネクタは、前方部に第１シェル装着部を設け、後方部に前記第１シェル装着部よりも高さの高い第２シェル装着部を設けたハウジングと、前記第１シェル装着部を上から覆うように装着され、下方側に前方から第１カードが挿入される第１カード挿入空間を形成する第１シェルと、前記第２シェル装着部を上から覆うように装着され、下方側かつ前記第１シェルよりも上方側に前方から第２カードが挿入される第２カード挿入空間を形成する第２シェルとを備え、第１シェルの平板部に、前記第２カード挿入空間に挿入される前記第２カードをロックするロック突起を設けたことを要旨とする。
【考案の効果】
【０００８】
本考案に係るカードコネクタによれば、第１シェルの平板部に、第２シェル挿入空間に挿入される第２カードをロックするロック突起を設けてある。これにより、第１カードと、第２カードとの双方を挿入可能なカードコネクタにおいて、第２カードをロックするロック突起の変形を発生し難くすることができるカードコネクタを提供できる。
【図面の簡単な説明】
【０００９】
【図１】本考案に係るカードコネクタの第１実施形態を、第１カード及び第２カードとともに示す斜視図である。但し、図１においては、第１カードは第１カード挿入空間に挿入されておらず、第２カードは第２カード挿入空間に挿入されている状態を示している。
【図２】図１に示すカードコネクタを、第１カード及び第２カードとともに示す斜視図である。但し、図２においては、第１カードは第１カード挿入空間に挿入され、第２カードは第２カード挿入空間に挿入されている状態を示している。
【図３】図２に示す、第１カード及び第２カードを挿入した状態のカードコネクタを示し、（Ａ）は平面図、（Ｂ）は右側面図である。
【図４】図１に示すカードコネクタの斜視図である。
【図５】図１に示すカードコネクタを示し、（Ａ）は平面図、（Ｂ）は右側面図である。
【図６】図１に示すカードコネクタに用いられるシェル部材の斜視図である。
【図７】図６のシェル部材を示し、（Ａ）は平面図、（Ｂ）は右側面図である。
【図８】本考案に係るカードコネクタの第２実施形態を、第１カード及び第２カードとともに示す斜視図である。但し、図８においては、第１カードは第１カード挿入空間に挿入されておらず、第２カードは第２カード挿入空間に挿入されている状態を示している。
【図９】図８に示すカードコネクタを、第１カード及び第２カードとともに示す斜視図である。但し、図９においては、第１カードは第１カード挿入空間に挿入され、第２カードは第２カード挿入空間に挿入されている状態を示している。
【図１０】図９に示す、第１カード及び第２カードを挿入した状態のカードコネクタを示し、（Ａ）は平面図、（Ｂ）は右側面図である。
【図１１】図８に示すカードコネクタの斜視図である。
【図１２】図８に示すカードコネクタを示し、（Ａ）は平面図、（Ｂ）は右側面図である。
【図１３】図８に示すカードコネクタに用いられるシェル部材の斜視図である。
【図１４】図１３のシェル部材を示し、（Ａ）は平面図、（Ｂ）は右側面図である。
【考案を実施するための形態】
【００１０】
以下、本考案の実施の形態を図面を参照して説明する。
（第１実施形態）
先ず、本考案に係るカードコネクタの第１実施形態について図１乃至図７を参照して説明する。
図１乃至図５に示すカードコネクタ１は、携帯機器を含む電子機器に用いられ、図示しない回路基板上に実装される。そして、カードコネクタ１には、マイクロＳＩＭ（加入者識別モジュール）カード等の第１カードＣ１と、マイクロＳＤカード等の第２カードＣ２との双方が挿入される。
【００１１】
ここで、第１カードＣ１は、図１乃至図３に示すように、座標軸Ｙ方向である左右方向、座標軸Ｘ方向である前後方向及び座標軸Ｚ方向である上下方向に延びる略矩形状の平板である。第２カードＣ２も、図１乃至図３に示すように、座標軸Ｙ方向である左右方向、座標軸Ｘ方向である前後方向及び座標軸Ｚ方向である上下方向に延びる略矩形状の平板である。ここで、座標軸Ｘ方向における正の進行方向を後方、負の進行方向を前方とする。また、座標軸Ｙ方向における正の進行方向を左方、負の進行方向を右方とする。更に、座標軸Ｚ方向における正の進行方向を上方、負の進行方向を下方とする。但し、第２カードＣ２の右側縁のやや後方寄りの部分には、右方に突出する突出部Ｃ２ｂが形成されている。そして、第２カードＣ２の右側縁の突出部Ｃ２ｂよりも前方部分には、係止溝Ｃ２ａが形成されている。
【００１２】
そして、カードコネクタ１は、図１乃至図５に示すように、ハウジング１０と、複数の第１コンタクト２１及び複数の第２コンタクト２２と、第１シェル３０と、第２シェル４０とを備えている。
ここで、ハウジング１０は、図４に示すように、左右方向、前後方向、及び上下方向に延びる略矩形薄板状の底板部１１を備えている。
【００１３】
そして、底板部１１の前面から前後方向略中央部にかけての前方部には、第１シェル装着部１２が設けられている。第１シェル装着部１２は、底板部１１の左縁から立ち上がる第１側壁１２ａ及び底板部１１の右縁から立ち上がる第２側壁１２ｂからなる。第１側壁１２ａ及び第２側壁１２ｂのそれぞれは、底板部１１の前面から後端に至るまで延びている。
【００１４】
また、底板部１１の後方部には、第２シェル装着部１３が設けられている。第２シェル装着部１３は、底板部１１の左縁から立ち上がる第１側壁１３ａと、底板部１１の右縁から立ち上がる第２側壁１３ｂと、底板部１１の後縁から立ち上がる図示しない後壁とを備えている。第２シェル装着部１３の第１側壁１３ａは、第１シェル装着部１２の第１側壁１２ａに連続して後方に第１側壁１２ａよりも高さの高い形で延びている。また、第２シェル装着部１３の第２側壁１３ｂは、第１シェル装着部１２の第２側壁１２ｂに連続して後方に第２側壁１２ｂよりも高さの高い形で延びている。第２シェル装着部１３の後壁も、第１シェル装着部１２の第１側壁１２ａ及び第２側壁１２ｂよりも高さが高くなっている。
【００１５】
なお、底板部１１の、第２シェル装着部１３を構成する第２側壁１３ｂの後方には、押圧部材用収容スペース１６が形成されている。
次に、第１シェル３０及び第２シェル４０は、図６及び図７に示すように、金属板を打抜き及び曲げ加工することにより一体に形成され、シェル部材５０を構成している。
ここで、第１シェル３０は、図４及び図５に示すように、ハウジング１０の第１シェル装着部１２を上から覆うように装着され、下方側に底板部１１との間で第１カード挿入空間１４を形成する。第１カード挿入空間１４は、前側が開口している。第１カードＣ１は、図１乃至図３に示すように、第１カード挿入空間１４にその先端が挿入される。第１シェル３０は、左右方向及び前後方向に延びる略矩形状の平板部３１と、平板部の左右両端縁から下方に延びる一対の側壁部３２ａ，３２ｂとを備えている。
【００１６】
第１シェル３０の平板部３１は、第１シェル装着部１２の第１側壁１２ａ及び第２側壁１２ｂ上に位置し、第１カード挿入空間１４の上方を覆う。また、一対の側壁部３２ａ，３２ｂのそれぞれは、第１シェル装着部１２の第１側壁１２ａ及び第２側壁１２ｂのそれぞれに取り付けられるとともに、図示しない回路基板上に半田固定される。
なお、第１シェル３０の平板部３１の左縁近傍には、第２カード挿入案内用突起３３が設けられている。第２カード挿入案内用突起３３は、平板部３１の前後方向略中央部の左縁近傍に、平板部３１から一定の高さで突出するように前後方向に所定距離延びている。
【００１７】
また、第２シェル４０は、図４に示すように、ハウジング１０の第２シェル装着部１３を上から覆うように装着され、下方側かつ第１シェル３０よりも上方側に第２カード挿入空間１５を形成する。第２カード挿入空間１５は、前側が開口している。第２カードＣ２の後側部分は、図１乃至図３に示すように、第２カード挿入空間１５にその先端が挿入される。第２シェル４０は、左右方向及び前後方向に延びる第１平板部４１を備えている。そして、第１平板部４１の前縁の左端からは、比較的細い第１連結板部４１ａが前方に延びている。また、第１平板部４１の右縁の前端からは、平板状の第２連結板部４１ｂが右方向に延び、第２連結板部４１ｂから前方に略矩形状の第２平板部４２が延びている。そして、第１平板部４１及び第１連結板部４１ａの左縁には、下方に延びる第１側壁部４３ａが設けられ、第２平板部４２の右縁には、下方に延びる第２側壁部４３ｂが設けられている。また、第１平板部４１の右縁には、下方に延びる第３側壁部４３ｃが設けられ、第１平板部４１の後縁には、下方に延びる後壁部４４が設けられている。
【００１８】
第２シェル４０の第１平板部４１及び第１連結板部４１ａは、第２シェル装着部１３の第１側壁１３ａ上に位置し、第２平板部４２は、第２シェル装着部１３の第２側壁１３ｂ上に位置する。そして、第１平板部４１が、第２カード挿入空間１５の上方を覆う。また、第１側壁部４３ａは、第２シェル装着部１３の第１側壁１３ａに取り付けられるとともに、図示しない回路基板上に固定される。また、第２側壁部４３ｂは、第２シェル装着部１３の第２側壁１３ｂに取り付けられるとともに、回路基板上に半田固定される。更に、後壁部４４は、第２シェル装着部１３の後壁に取り付けられる。また、第３側壁部４３ｃは、ハウジング１０に形成された押圧部材用収容スペース１６の左側に位置する。
【００１９】
なお、第２シェル４０の第２平板部４２には、第２カードＣ２の逆差しを防止するための逆差し防止突起４６が下方に曲がるようにして形成されている。
また、第２シェル４０の第１連結板部４１ａの前端には、下方に曲がる第３連結部４５ａが設けられ、第２平板部４２の前端には、下方に曲がる第４連結部４５ｂが設けられている。そして、これら第３連結部４５ａ及び第４連結部４５ｂは、第１シェル３０の平板部３１に連結されている。これにより、第２シェル４０は、第１シェル３０に連結されている。
【００２０】
次に、複数の第１コンタクト２１は、図４に示すように、ハウジング１０の底板部１１の前方部に左右方向に沿って２列状（図４には、１列の第１コンタクト２１のみ図示）に取り付けられる。各第１コンタクト２１は、第１カード挿入空間１４内に突出する弾性接触部２１ａを備えるとともに図示しない回路基板上に半田接続される。第１カードＣ１が第１カード挿入空間１４内に挿入されると、第１カードＣ１の裏面に形成された図示しない導電パッドが複数の第１コンタクト２１の弾性接触部２１ａに接触する。各第１コンタクト２１は、弾性を有する導電性金属板を打抜き及び曲げ加工することによって形成される。
【００２１】
また、複数の第２コンタクト２２は、図４に示すように、ハウジング１０の底板部１１の後方部に左右方向に沿って１列状に取り付けられる。各第２コンタクト２２は、第２カード挿入空間１５内に突出する弾性接触部２２ａを備えるとともに回路基板上に半田接続される。第２カードＣ２の後側部分が第２カード挿入空間１５内に挿入されると、第２カードＣ２の当該後側部分の裏面に形成された図示しない導電パッドが複数の第２コンタクト２２の弾性接触部２２ａに接触する。各第２コンタクト２２は、弾性を有する導電性金属板を打抜き及び曲げ加工することによって形成される。
【００２２】
また、ハウジング１０の押圧部材用収容スペース１６には、図４及び図５に示すように、前後方向に移動可能に押圧部材６０が配置される。第１カードＣ１を第１カード挿入空間１４から抜き出す際に、押圧部材６０を前方に移動させて第１カードＣ１を前方に向けて押圧する。これにより、第１カード挿入空間１４から第１カードＣ１が前方に突出するので、第１カードＣ１を第１カード挿入空間１４から容易に抜き出すことができる。
【００２３】
そして、このカードコネクタ１において、第１シェル３０の平板部３１には、図１乃至図４に示すように、第２カード挿入空間１５に挿入される第２カードＣ２をロックするロック突起３４が設けられている。このロック突起３４は、第１シェル３０の平板部３１の右端近傍であって第４連結部４５ｂの斜め左側前方に設けられている。ロック突起３４は、第１シェル３０の平板部３１にある固定端３４ａから上方に突出すると共に前方から後方に向かって延びる片持ち梁状に形成されている。具体的には、ロック突起３４は、固定端３４ａから後方かつ上方に平板部３１に対して斜めに延びる傾斜部３４ｂと、傾斜部３４ｂの先端から後方に平板部３１と平行に延びる後方延長部３４ｃとを備えている。また、ロック突起３４は、比較的大きな幅を有するので剛性が大きい。ロック突起３４は、平板部３１のロック突起３４の左右縁に相当する部分とロック突起３４の後端縁に相当する部分とにスリットを入れ、下方から上方に打ち出すことにより形成される。
【００２４】
次に、このロック突起３４の作用について説明する。
図１乃至図４に示すように、第２カードＣ２の後側部分を第２カード挿入空間１５内に挿入する。
この際に、第２カードＣ２を第１シェル３０上を滑らせるようにして前方から後方に向けて移動させる。ここで、第２カードＣ２の左縁は第２カード挿入案内用突起３３に沿って案内され、第２カードＣ２の右縁はハウジング１０の図示しない内壁によって案内される。第２カードＣ２の後方への移動が進行すると、第２カードＣ２の突出部Ｃ２ｂの後端面の下角縁（図示せず）がロック突起３４の傾斜部３４ｂに当接する。そして、第２カードＣ２の後方への移動が更に進行すると、前記突出部Ｃ２ｂの後端面の下角縁がロック突起３４の傾斜部３４ｂ上を移動しつつ、ロック突起３４が設けられた平板部３１が下方へ撓む。更に、第２カードＣ２の後方への移動が進行すると、前記突出部Ｃ２ｂがロック突起３４の後方延長部３４ｃを乗り越えて、ロック突起３４が係止溝Ｃ２ａに位置する。そして、ロック突起３４は、図１乃至図３に示すように、上方に変位して元の位置に復元する。これにより、ロック突起３４が係止溝Ｃ２ａに入り込み、第２カードＣ２の後側部分の第２カード挿入空間１５内への挿入が完了する。
【００２５】
その後、第２カードＣ２を前方に引き抜こうとすると、第２カードＣ２の突出部Ｃ２ｂの前端面がロック突起３４の後方延長部３４ｃの後端に当接する。これにより、第２カードＣ２の引き抜きが阻止される。
ここで、第１実施形態のカードコネクタ１においては、第２カードＣ２をロックするロック突起３４を第１シェル３０の平板部３１に設けてある。このため、ロック突起３４が第２カードＣ２の係止溝Ｃ２ａに入り込む際に、ロック突起３４の上方を通る第２カードＣ２によってロック突起３４が設けられた平板部３１が下方へ撓む。また、ロック突起３４は、比較的幅広に形成されており、剛性が高い。このため、ロック突起３４が変形することを極力回避することができ、第２カードＣ２の引き抜きを適切に阻止することができる。
【００２６】
また、ロック突起３４は、固定端３４ａから後方かつ上方に平板部３１に対して斜めに延びる傾斜部３４ｂを備えている。このため、第２カードＣ２の突出部Ｃ２ｂの後端面の下角縁が後方へ移動してロック突起３４を乗り越える際に、当該下角縁がロック突起３４の傾斜部３４ｂ上を移動しつつ、平板部３１を下方へ撓ませることができる。
更に、ロック突起３４は、傾斜部３４ｂから後方に延びる後方延長部３４ｃを備えている。このため、第２カードＣ２の突出部Ｃ２ｂの前端面（係止溝Ｃ２ａの後端面）がロック突起３４の後方延長部３４ｃの後端に当接することにより第２カードＣ２の引き抜きを阻止することができる。なお、ロック突起３４の後方延長部３４ｃは、後方向を向いており、且つ、第２シェル４０に近接して配置されているので、外部物体等により変形され難い。
【００２７】
また、第１シェル３０及び第２シェル４０は、金属板を打抜き及び曲げ加工することにより一体に形成されている。このため、第１シェル３０及び第２シェル４０を別個に制作する必要はなく、シェル部材５０の製造コストを低減することができる。また、第１シェル３０及び第２シェル４０を一体にした場合、第１シェル３０及び第２シェル４０を別のアセンブリ工程で組み込む必要はない。このため、カードコネクタ１の製造時間を短縮し、コスト削減を図ることができる。
【００２８】
また、第１シェル３０及び第２シェル４０を、金属板を打抜き及び曲げ加工することにより一体に形成する場合において、ロック突起３４を第２シェル４０の側壁に形成したと仮定する。すると、その形状が複雑となり、金型形状も複雑となり、ロック突起３４を含めたシェル部材５０の製造が容易ではないという問題に遭遇する。
これに対し、本実施形態では、第１シェル３０及び第２シェル４０を、金属板を打抜き及び曲げ加工することにより一体に形成し、ロック突起３４を第１シェル３０の平板部３１に形成する。この場合、形状が簡単で金型形状も簡単にでき、ロック突起３４を含めたシェル部材５０の製造を容易にすることができる。
なお、第２カードＣ２を第２カード挿入空間１５から抜き出す際には、ロック突起３４を図示しない工具により上方から押圧して第２カードＣ２に対するロック状態を解除する。そして、第２カードＣ２を引き抜けばよい。
【００２９】
（第２実施形態）
次に、本考案に係るカードコネクタの第２実施形態について、図８乃至図１４を参照して説明する。図８乃至図１４において、図１乃至図７に示す部材と同一の符号を付し、その説明を省略することがある。
図８乃至図１２に示すカードコネクタ１は、図１乃至図５に示す第１実施形態のカードコネクタ１と基本構成は同一であるが、ロック突起３４の構成が相違している。
【００３０】
ここで、第１実施形態のカードコネクタ１のロック突起３４は、第１シェル３０の平板部３１にある固定端３４ａから上方に突出する片持ち梁状に形成されている。
これに対して、第２実施形態のカードコネクタ１のロック突起３４は、第１シェル３０の平板部３１にある前後方向に所定間隔を設けて配置された一対の固定端３４ｄ，３４ｅから上方に突出する両持ち梁状に形成されている。このロック突起３４は、具体的には、一対の固定端３４ｄ，３４ｅのうちの前側の固定端３４ｄから後方かつ上方に平板部３１に対して斜めに延びる第１傾斜部３４ｆを備えている。また、ロック突起３４は、一対の固定端３４ｄ，３４ｅのうちの後側の固定端３４ｅから前方かつ上方に平板部３１に対して斜めに延びる第２傾斜部３４ｇを備えている。そして、第１傾斜部３４ｆの先端と第２傾斜部３４ｇの先端とが、平板部３１と平行に延びるロック突起連結部３４ｈで連結されている。このロック突起３４は、平板部３１のロック突起３４の左右縁に相当する部分にスリットを入れ、下方から上方に打ち出すことにより形成される。
【００３１】
次に、このロック突起３４の作用について説明する。
図８乃至図１１に示すように、第２カードＣ２の後側部分を第２カード挿入空間１５内に挿入する。
この際に、第２カードＣ２を第１シェル３０上を滑らせるようにして前方から後方に向けて移動させる。ここで、第２カードＣ２の左縁は第２カード挿入案内用突起３３に沿って案内される。第２カードＣ２の後方への移動が進行すると、第２カードＣ２の突出部Ｃ２ｂの後端面の下角縁（図示せず）がロック突起３４の第１傾斜部３４ｆに当接する。そして、第２カードＣ２の後方への移動が更に進行すると、前記突出部Ｃ２ｂの後端面の下角縁がロック突起３４の第１傾斜部３４ｆ上を移動してロック突起連結部３４ｈ上に至り、突出部Ｃ２ｂの底面がロック突起連結部３４ｈ上を移動する。この際に、ロック突起３４の第１傾斜部３４ｆ、ロック突起連結部３４ｈ及び第２傾斜部３４ｇが設けられた平板部３１は、下方に少しだけ撓む。更に、第２カードＣ２の後方への移動が進行すると、前記突出部Ｃ２ｂがロック突起３４の第２傾斜部３４ｇを乗り越えて、ロック突起３４が係止溝Ｃ２ａに位置する。そして、平板部３１は、図８乃至図１０に示すように、元の状態に復元する。これにより、ロック突起３４が係止溝Ｃ２ａに入り込み、第２カードＣ２の後側部分の第２カード挿入空間１５内への挿入が完了する。
【００３２】
その後、第２カードＣ２を前方に引き抜こうとすると、第２カードＣ２の突出部Ｃ２ｂの前端面の下角縁がロック突起３４の第２傾斜部３４ｇに当接する。これにより、第２カードＣ２の引き抜きが阻止される。
ここで、第２実施形態のカードコネクタ１においては、第２カードＣ２をロックするロック突起３４を第１シェル３０の平板部３１に設けてある。このため、ロック突起３４が第２カードＣ２の係止溝Ｃ２ａに入り込む際に、ロック突起３４の上方を通る第２カードＣ２によってロック突起３４が設けられた平板部３１が上下方向にわずかだけ撓む。ロック突起３４の変形防止の効果及びロック突起３４の強度は、第１実施形態のカードコネクタ１のロック突起３４よりも大きい。ロック突起３４が両持ち梁で構成され、前後両端が固定端３４ｄ，３４ｅとして強固に固定されると共に、比較的大きな幅を有するので、剛性が大きいからである。
【００３３】
また、ロック突起３４は、前側の固定端３４ｄから後方かつ上方に平板部３１に対して斜めに延びる第１傾斜部３４ｆを備えている。このため、第２カードＣ２の突出部Ｃ２ｂの後端面の下角縁がロック突起３４の第１傾斜部３４ｆ上を円滑に移動することができる。なお、この第１傾斜部３４ｆの平板部３１に対する傾斜角を大きくすると、第２カードＣ２を挿入する際に大きな挿入力が必要となる。一方、前記傾斜角を小さくすると、第２カードＣ２を挿入する際に小さな挿入力で済む。従って、作業者の作業に応じて適当な挿入力となるように、第１傾斜部３４ｆの平板部３１に対する傾斜角を調整するのが好ましい。
【００３４】
また、ロック突起３４は、後側の固定端３４ｅから前方かつ上方に平板部３１に対して斜めに延びる第２傾斜部３４ｇを備えている。ここで、第２傾斜部３４ｇの平板部３１に対する傾斜角が小さいと、第２カードＣ２の引き抜きを阻止できないおそれがある。従って、この第２傾斜部３４ｇの平板部３１に対する傾斜角の大きさを、通常の引き抜き力で第２カードＣ２の引き抜きを阻止できる大きさに設定しておくのがよい。そして、この第２傾斜部３４ｇの平板部３１に対する傾斜角の大きさを調整することにより、第２カードＣ２の引き抜き阻止力を調整することができる。
【００３５】
以上、本考案の実施形態について説明してきたが、本考案はこれに限定されずに種々の変更、改良を行うことができる。
例えば、第１シェル３０及び第２シェル４０は、金属板を打抜き及び曲げ加工することにより一体に形成される場合に限らず、それぞれ別体で形成してもよい。その場合、第１シェル３０及び第２シェル４０のそれぞれを、樹脂製としてもよいし、金属製としてもよい。
【００３６】
また、ロック突起３４は、第２カード挿入空間１５に挿入される第２カードＣ２をロックするものであれば、第１実施形態のロック突起３４のように片持ち梁状や第２実施形態のロック突起３４のように両持ち梁状でなくてもよい。例えば、ロック突起３４は、半球状であってもよい。
【符号の説明】
【００３７】
１  カードコネクタ
１０  ハウジング
１２  第１シェル装着部
１３  第２シェル装着部
１４  第１カード挿入空間
１５  第２カード挿入空間
３０  第１シェル
３１  平板部
３４  ロック突起
３４ａ  固定端
３４ｂ  傾斜部
３４ｃ  後方延長部
３４ｄ  固定端（前側の固定端）
３４ｅ  固定端（後側の固定端）
３４ｆ  第１傾斜部
３４ｇ  第２傾斜部
３４ｈ  ロック突起連結部
４０  第２シェル
Ｃ１  第１カード
Ｃ２  第２カード
【図１】
0003197638.tif 000003
【図２】
0003197638.tif 000004
【図３】
0003197638.tif 000005
【図４】
0003197638.tif 000006
【図５】
0003197638.tif 000007
【図６】
0003197638.tif 000008
【図７】
0003197638.tif 000009
【図８】
0003197638.tif 000010
【図９】
0003197638.tif 000011
【図１０】
0003197638.tif 000012
【図１１】
0003197638.tif 000013
【図１２】
0003197638.tif 000014
【図１３】
0003197638.tif 000015
【図１４】
0003197638.tif 000016